(57)【要約】【課題】カテーテルが外れることを抑制することができるカテーテルコネクタを提供する。【解決手段】本発明に係るカテーテルコネクタ１０００は、一端１１２ａ側からカテーテル１０が挿入され、一端１１２ａ側の内面１１５に雌ねじ１１６が設けられた第１貫通孔１１２を有する第１部材１００と、第１貫通孔１１２内に収容され、カテーテル１０が貫通する弾性部材３００と、カテーテル１０が貫通し、一端１１２ａ側から第１貫通孔１１２に挿入されて雌ねじ１１６と螺合する雄ねじ２１４を備えた螺合部２１０と、回動軸２２０を介して螺合部２１０に接続された蓋部２３０と、を有する第２部材２００と、を含み、弾性部材３００は、螺合部２１０に押圧されてカテーテル１０を固定し、カテーテル１０が弾性部材３００に固定された状態において、蓋部２３０は、回動軸２２０で折返されて第１部材１００に固定される。【選択図】図３
2018033562.tif 000002
【特許請求の範囲】
【請求項１】
一端側からカテーテルが挿入され、前記一端側の内面に雌ねじが設けられた第１貫通孔を有する第１部材と、
前記第１貫通孔内に収容され、前記カテーテルが貫通する弾性部材と、
前記カテーテルが貫通し、前記一端側から前記第１貫通孔に挿入されて前記雌ねじと螺合する雄ねじを備えた螺合部と、回動軸を介して前記螺合部に接続された蓋部と、を有する第２部材と、
を含み、
前記弾性部材は、前記螺合部に押圧されて前記カテーテルを固定し、
前記カテーテルが前記弾性部材に固定された状態において、前記蓋部は、前記回動軸で折返されて前記第１部材に固定される、カテーテルコネクタ。
【請求項２】
請求項１において、
前記蓋部は、前記カテーテルが通過する切り欠き部を有し、
前記螺合部は、前記カテーテルが貫通する第２貫通孔を有し、
前記蓋部が前記第１部材に固定された状態において、前記第１貫通孔の前記一端から他端に向かう方向および前記回動軸の方向と直交する方向からみて、
前記第２貫通孔の前記回動軸側の端部は、前記切り欠き部の前記回動軸側の端部よりも前記回動軸側に位置する、カテーテルコネクタ。
【請求項３】
請求項１または２において、
前記第１部材は、
前記第１貫通孔を有する筒状部と、
前記筒状部の外表面から前記回動軸に沿って両側に突出している基部と、
を有し、
前記蓋部が前記第１部材に固定された状態において、前記蓋部は、前記基部と重なり合う形状を有して前記基部に固定される、カテーテルコネクタ。
【請求項４】
請求項１ないし３のいずれか１項において、
前記第１貫通孔の他端側から、前記カテーテルに導入される薬液が供給される、カテーテルコネクタ。
【請求項５】
一端側の内面に雌ねじが設けられた貫通孔を有する第１部材と、
前記貫通孔内に収容された弾性部材と、
雄ねじを備えて前記一端側から前記貫通孔に挿入された螺合部と、回動軸を介して前記螺合部に接続された蓋部と、を有する第２部材と、
を準備する工程と、
前記螺合部および前記弾性部材にカテーテルを貫通して、前記カテーテルを前記一端側から前記貫通孔に挿入する工程と、
前記雄ねじと前記雌ねじとを螺合させて前記螺合部により前記弾性部材を押圧し、前記弾性部材に前記カテーテルを固定する工程と、
前記カテーテルを固定する工程の後に、前記蓋部を、前記回動軸で折返して前記第１部材に固定する工程と、
を含む、カテーテルコネクタの使用方法。
【発明の詳細な説明】
【技術分野】
【０００１】
本発明は、カテーテルコネクタ、およびカテーテルコネクタの使用方法に関する。
【背景技術】
【０００２】
硬膜外麻酔の場合、例えば、抵抗消失法や懸滴法などを用いて穿刺した硬膜外針からカテーテルを硬膜外腔に挿入する。そして、カテーテルの後端にカテーテルコネクタを接続し、カテーテルコネクタにさらに注射器などの器具を接続して薬液を硬膜外腔に注入する。
【０００３】
例えば特許文献１には、螺合部材を本体に対して回すことにより、雌ねじ部と雄ねじ部とが相対回転し、螺合部材を押し込むことにより弾性部材に挟圧を与えて、カーテルを固定するカテーテルコネクタが記載されている。
【先行技術文献】
【特許文献】
【０００４】
【特許文献１】特開２０１３−２２２５５号公報
【発明の概要】
【発明が解決しようとする課題】
【０００５】
しかしながら、特許文献１に記載のカテーテルコネクタでは、注射器などの器具を接続する際に、螺合部材を把持して器具をカテーテルコネクタに接続する術者や、器具をカテーテルコネクタから外す際に、螺合部材を把持して器具をカテーテルコネクタから外す術者がおり、意図せず螺合部材が弾性部材への挟圧が低下する方向に回転してしまい、カテーテルが外れる場合があった。
【０００６】
本発明のいくつかの態様に係る目的の１つは、カテーテルが外れることを抑制することができるカテーテルコネクタを提供することにある。また、本発明のいくつかの態様に係る目的の１つは、カテーテルが外れることを抑制することができるカテーテルコネクタの使用方法を提供することにある。
【課題を解決するための手段】
【０００７】
本発明に係るカテーテルコネクタは、
一端側からカテーテルが挿入され、前記一端側の内面に雌ねじが設けられた第１貫通孔を有する第１部材と、
前記第１貫通孔内に収容され、前記カテーテルが貫通する弾性部材と、
前記カテーテルが貫通し、前記一端側から前記第１貫通孔に挿入されて前記雌ねじと螺合する雄ねじを備えた螺合部と、回動軸を介して前記螺合部に接続された蓋部と、を有する第２部材と、
を含み、
前記弾性部材は、前記螺合部に押圧されて前記カテーテルを固定し、
前記カテーテルが前記弾性部材に固定された状態において、前記蓋部は、前記回動軸で折返されて前記第１部材に固定される。
【０００８】
このようなカテーテルコネクタでは、例えば、カテーテルコネクタに外部器具を接続する際や、カテーテルコネクタから外部器具を外す際に、第２部材が第１部材に対して相対的に回転することを抑制することができる。したがって、このようなカテーテルコネクタでは、螺合部の弾性部材に対する押圧が解除されることを抑制することができ、弾性部材
からカテーテルが外れることを抑制することができる。
【０００９】
本発明に係るカテーテルコネクタにおいて、
前記蓋部は、前記カテーテルが通過する切り欠き部を有し、
前記螺合部は、前記カテーテルが貫通する第２貫通孔を有し、
前記蓋部が前記第１部材に固定された状態において、前記第１貫通孔の前記一端から他端に向かう方向および前記回動軸の方向と直交する方向からみて、
前記第２貫通孔の前記回動軸側の端部は、前記切り欠き部の前記回動軸側の端部よりも前記回動軸側に位置してもよい。
【００１０】
このようなカテーテルコネクタでは、蓋部が第１部材に固定された状態において、例えば、意図せずにカテーテルを引っ張る力が働いたとしても、切り欠き部の端部によって、カテーテルの弾性部材に固定されている部分に該力が集中することを抑制することができる。したがって、このようなカテーテルコネクタでは、弾性部材からカテーテルが外れることを抑制することができる。
【００１１】
本発明に係るカテーテルコネクタにおいて、
前記第１部材は、
前記第１貫通孔を有する筒状部と、
前記筒状部の外表面から前記回動軸に沿って両側に突出している基部と、
を有し、
前記蓋部が前記第１部材に固定された状態において、前記蓋部は、前記基部と重なり合う形状を有して前記基部に固定されてもよい。
【００１２】
このようなカテーテルコネクタでは、術者は、カテーテルコネクタに外部器具を接続する際や、カテーテルコネクタから外部器具を外す際に、互いに固定された基部および蓋部を把持しやすい。
【００１３】
本発明に係るカテーテルコネクタにおいて、
前記第１貫通孔の他端側から、前記カテーテルに導入される薬液が供給されてもよい。
【００１４】
このようなカテーテルコネクタでは、第１貫通孔の他端側から、カテーテルに導入される薬液を供給し、該薬液を例えば硬膜外腔に注入することができる。
【００１５】
本発明に係るカテーテルコネクタの使用方法は、
一端側の内面に雌ねじが設けられた貫通孔を有する第１部材と、
前記貫通孔内に収容された弾性部材と、
雄ねじを備えて前記一端側から前記貫通孔に挿入された螺合部と、回動軸を介して前記螺合部に接続された蓋部と、を有する第２部材と、
を準備する工程と、
前記螺合部および前記弾性部材にカテーテルを貫通して、前記カテーテルを前記一端側から前記貫通孔に挿入する工程と、
前記雄ねじと前記雌ねじとを螺合させて前記螺合部により前記弾性部材を押圧し、前記弾性部材に前記カテーテルを固定する工程と、
前記カテーテルを固定する工程の後に、前記蓋部を、前記回動軸で折返して前記第１部材に固定する工程と、
を含む。
【００１６】
このようなカテーテルコネクタの使用方法では、例えば、カテーテルコネクタに外部器具を接続する際や、カテーテルコネクタから外部器具を外す際に、第２部材が第１部材に
対して相対的に回転することを抑制することができる。したがって、このようなカテーテルコネクタの使用方法では、螺合部の弾性部材に対する押圧が解除されることを抑制することができ、弾性部材からカテーテルが外れることを抑制することができる。
【図面の簡単な説明】
【００１７】
【図１】本実施形態に係るカテーテルコネクタを模式的に示す斜視図。
【図２】本実施形態に係るカテーテルコネクタを模式的に示す側面図。
【図３】本実施形態に係るカテーテルコネクタを模式的に示す断面図。
【図４】本実施形態に係るカテーテルコネクタの第１部材を模式的に示す斜視図。
【図５】本実施形態に係るカテーテルコネクタの第２部材を模式的に示す斜視図。
【図６】本実施形態に係るカテーテルコネクタを模式的に示す断面図。
【図７】本実施形態に係るカテーテルコネクタの使用方法を説明するための斜視図。
【図８】本実施形態に係るカテーテルコネクタの使用方法を説明するための斜視図。
【図９】本実施形態に係るカテーテルコネクタの使用方法を説明するための断面図。
【図１０】本実施形態に係るカテーテルコネクタの使用方法を説明するための斜視図。
【図１１】本実施形態に係るカテーテルコネクタの使用方法を説明するための斜視図。
【図１２】本実施形態に係るカテーテルコネクタの使用方法を説明するための側面図。
【図１３】本実施形態に係るカテーテルコネクタの使用方法を説明するための平面図。
【図１４】本実施形態に係るカテーテルコネクタの使用方法を説明するための断面図。
【図１５】本実施形態に係るカテーテルコネクタの使用方法を説明するためのフローチャート。
【図１６】本実施形態に係るカテーテルコネクタの使用方法を説明するための斜視図。
【発明を実施するための形態】
【００１８】
以下、本発明の好適な実施形態について、図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００１９】
１．  カテーテルコネクタ
１．１．  構成
まず、本実施形態に係るカテーテルコネクタについて、図面を参照しながら説明する。図１は、本実施形態に係るカテーテルコネクタ１０００を模式的に示す斜視図である。図２は、本実施形態に係るカテーテルコネクタ１０００を模式的に示す側面図である。図３は、本実施形態に係るカテーテルコネクタ１０００を模式的に示す図１のＩＩＩ−ＩＩＩ線断面図である。なお、図１〜３および以下に示す図７〜図１４では、互いに直交する３軸として、Ｘ軸、Ｙ軸、およびＺ軸を図示している。
【００２０】
カテーテルコネクタ１０００は、図１〜図３に示すように、第１部材１００と、第２部材２００と、弾性部材３００と、を含む。
【００２１】
１．１．１．  第１部材
第１部材１００は、筒状部１１０と、基部１２０と、を有している。第１部材１００の材質は、特に限定されないが、例えば、ポリプロピレン、ポリカーボネートなどである。
第１部材１００は、例えば、射出成形によって形成される。ここで、図４は、第１部材１００を模式的に示す斜視図であり、第２部材２００の螺合部２１０を筒状部１１０内に挿入させる前の状態を示している。
【００２２】
筒状部１１０は、筒状の形状を有している。筒状部１１０は、図３および図４に示すように、第１貫通孔１１２を有している。第１貫通孔１１２は、図３に示すように、一端１１２ａ側（−Ｙ軸方向側）からカテーテル１０が挿入可能に構成されており、カテーテル１０が挿入される。第１貫通孔１１２は、Ｙ軸に沿って設けられている。
【００２３】
第１貫通孔１１２は、一端１１２ａ側（−Ｙ軸方向側）から他端１１２ｂ側（＋Ｙ軸方向側）に向けて、第１領域１１４ａ、第２領域１１４ｂ、第３領域１１４ｃ、および第４領域１１４ｄを、この順で有している。
【００２４】
第１貫通孔１１２の第１領域１１４ａの内面１１５には、雌ねじ１１６が設けられている。雌ねじ１１６によって、筒状部１１０は、第２部材２００の螺合部２１０と螺合可能である。第１領域１１４ａには、弾性部材３００が収容されている。
【００２５】
第１貫通孔１１２の第２領域１１４ｂは、第１領域１１４ａの内径よりも小さい内径を有している。第２領域１１４ｂの内径は、カテーテル１０の外径と同じ、または、カテーテル１０の外径よりも若干大きい。
【００２６】
第１貫通孔１１２の第３領域１１４ｃは、カテーテル１０の外径よりも小さい内径を有している。したがって、一端１１２ａ側から第１貫通孔１１２に挿入されるカテーテル１０は、第１領域１１４ａを貫通した後、第２領域１１４ｂの他端１１２ｂ側の端部において、停止する。
【００２７】
第１貫通孔１１２の第４領域１１４ｄは、第２領域１１４ｂの内径よりも大きな内径を有している。第４領域１１４ｄは、第３領域１１４ｃを介して、カテーテル１０の貫通孔と連通している。第４領域１１４ｄには、他端１１２ｂ側から注射器などの外部器具（図示せず）が挿入され、外部器具内の薬液は、カテーテル１０を通って、例えば硬膜外腔に注入される。このように、第１貫通孔１１２の他端１１２ｂ側から、カテーテル１０に導入される薬液が供給される。第４領域１１４ｄに挿入された外部基部は、例えば、ねじ等によりカテーテルコネクタ１０００に接続される。
【００２８】
筒状部１１０の他端１１２ｂ側の外表面１１１には、雄ねじ１１８が設けられている。筒状部１１０の他端１１２ｂ側は、雄ねじ１１８によって、図示せぬキャップが着脱可能となる。
【００２９】
基部１２０は、筒状部１１０の外表面１１１に接続されている。基部１２０は、筒状部１１０の外表面１１１から回動軸２２０に沿って（Ｘ軸に沿って）両側に（＋Ｘ軸方向側および−Ｘ軸方向側に）突出している。図示の例では、基部１２０は、略お椀状の形状を有している。
【００３０】
基部１２０の外表面には、図１に示すように、複数の凹部１２２が設けられている。凹部１２２は、術者が基部１２０を把持してカテーテルコネクタ１０００に外部器具を接続する際や、術者が基部１２０を把持してカテーテルコネクタ１０００から外部器具を外す際に、術者の手が滑らないための滑り止めとなる。
【００３１】
１．１．２．  第２部材
第２部材２００は、螺合部２１０と、回動軸２２０と、蓋部２３０と、を有している。
第２部材２００の材質は、特に限定されず、例えば、第１部材の材質と同じである。第２部材２００は、例えば、射出成形によって形成される。
【００３２】
螺合部２１０は、一端１１２ａ側から第１貫通孔１１２の第１領域１１４ａに挿入されている。螺合部２１０は、筒状の形状を有している。ここで、図５は、第２部材２００を模式的に示す斜視図であり、螺合部２１０を筒状部１１０内に挿入させる前の状態を示している。図５に示す第２部材２００の螺合部２１０を図４に示す第１貫通孔１１２内に挿入させて、図３に示すようなカテーテルコネクタ１０００を形成することができる。
【００３３】
螺合部２１０は、図５に示すように、先端側に、螺合部２１０の外表面に沿って周状に設けられた凸部２１１を有している。一方、筒状部１１０は、図６に示すように、第１貫通孔１１２の第１領域１１４ａの内面に、周状に設けられた凸部１１３を有している。凸部１１３は、雌ねじ１１６よりも＋Ｙ軸方向側に位置している。螺合部２１０を第１貫通孔１１２内に挿入する際には、凸部２１１が凸部１１３を乗り越えるように、螺合部２１０を圧入する。これにより、第２部材２００は、第１部材１００に対して分離し難くなる。なお、図６は、図３の破線で囲まれた領域Ａの拡大図である。
【００３４】
螺合部２１０には、−Ｙ軸方向側からカテーテル１０が挿入され、カテーテル１０が貫通に構成され、カテーテル１０が貫通する。図示の例では、螺合部２１０は、Ｙ軸に沿った第２貫通孔２１２を有し、カテーテル１０は、第２貫通孔２１２を貫通している。
【００３５】
螺合部２１０は、筒状部１１０に螺合可能である。具体的には、螺合部２１０は、螺合部２１０の外表面に設けられ、雌ねじ１１６と螺合可能な雄ねじ２１４を備えている。雄ねじ２１４が雌ねじ１１６することによって、螺合部２１０は、筒状部１１０に螺合する。例えば、図１〜図３に示す状態（第１状態）において、螺合部２１０は、筒状部１１０に螺合していない。第１状態から第１部材１００を、図７に示すように、第２部材２００に対してＹ軸回りに回転させて、図８および図９に示す状態（第２状態）となる。これにより、螺合部２１０は、筒状部１１０に螺合する。第２状態は、例えば、第１状態から第１部材１００が第２部材２００に対して１８０°Ｙ軸回りに回転した状態である。
【００３６】
なお、図７および図８は、カテーテルコネクタ１０００の使用方法を説明するための斜視図である。図９は、カテーテルコネクタ１０００の使用方法を説明するための断面図であって、図８に示すＩＸ−ＩＸ線断面図である。
【００３７】
回動軸２２０は、Ｘ軸方向に延出している。回動軸２２０は、螺合部２１０と蓋部２３０とを回動可能に接続している。
【００３８】
蓋部２３０は、図３に示すように、螺合部２１０の−Ｙ軸方向側に、回動軸２２０を介して接続されている。蓋部２３０は、回動軸２２０で、＋Ｙ軸方向側に折り返されることができる。例えば、蓋部２３０は、図８に示す第２状態から、図１０に示すように回動し、＋Ｙ軸方向側に折り返されて、図１１〜図１４に示す状態（第３状態）となる。第３状態は、蓋部２３０が基部１２０に固定された状態である。
【００３９】
なお、図１０および図１１は、カテーテルコネクタ１０００の使用方法を説明するための斜視図である。図１２は、カテーテルコネクタ１０００の使用方法を説明するための側面図である。図１３は、カテーテルコネクタ１０００の使用方法を説明するための平面図である。図１４は、カテーテルコネクタ１０００の使用方法を説明するための断面図であって、図１１に示すＸＩＶ−ＸＩＶ線断面図である。
【００４０】
蓋部２３０は、第３状態において、第１部材１００の基部１２０に固定される。すなわ
ち、第３状態では、第２部材２００は、第１部材１００に対して相対的に回転することができない。蓋部２３０は、第３状態において、基部１２０と重なり合う形状を有して基部１２０に固定される。蓋部２３０は、略お椀状の形状を有しており、第３状態において、例えば筒状部１１０の一部を覆っている。例えば、基部１２０は、基部１２０の外縁部１２０ａ（図８参照）に第１係合部（図示せず）を有し、蓋部２３０は、蓋部２３０の外縁部２３０ａ（図８参照）に第２係合部（図示せず）を有し、第３状態において、第１係合部と第２係合部とが係合することにより、蓋部２３０は、基部１２０に固定されてもよい。
【００４１】
なお、基部１２０の外縁部１２０ａは、第３状態において、蓋部２３０に接触する面であり、図示の例では、円弧状の形状を有している。また、蓋部２３０の外縁部２３０ａは、第３状態において、基部１２０に接触する面であり、図示の例では、円弧に沿った形状を有している。第３状態において、外縁部１２０ａ，２３０ａは、完全に重なり合ってもよい。
【００４２】
図１に示す第１状態では、基部１２０の外縁部１２０ａは、−Ｚ軸方向を向き、蓋部２３０の外縁部２３０ａは、＋Ｚ軸方向を向いている。このように、第１状態では、外縁部１２０ａ，２３０ａが互い異なる方向を向いており、蓋部２３０を、回動軸２２０で折り返しても、蓋部２３０を基部１２０に固定することはできない。
【００４３】
一方、図８に示す第２状態では、基部１２０の外縁部１２０ａ、および蓋部２３０の外縁部２３０ａは、同じ方向（図示の例では＋Ｚ軸方向）を向いている。そのため、第２状態において、蓋部２３０は、回動軸２２０で折り返えされて基部１２０に固定される（第３状態となる）ことができる。
【００４４】
蓋部２３０は、図１０に示すように、カテーテル１０が通過する切り欠き部２３２を有している。切り欠き部２３２は、例えば、カテーテル１０を所望の方向に導く（案内する）ことができる。
【００４５】
１．１．３．  弾性部材
弾性部材３００は、図３に示すように、第１貫通孔１１２内に収容されている。具体的には、弾性部材３００は、第１貫通孔１１２の第１領域１１４ａ内に設けられ、螺合部２１０の先端（＋Ｙ軸方向側の端部）と接している。弾性部材３００は、弾性を有し、弾性部材３００の材質は、例えば、エラストマーである。弾性部材３００は、カテーテル１０が貫通可能に構成されており、カテーテル１０が貫通する。図示の例では、弾性部材３００は、Ｙ軸に沿った第３貫通孔３０２を有し、カテーテル１０は、第３貫通孔３０２を貫通している。
【００４６】
図３に示す第１状態では、弾性部材３００は、螺合部２１０によって押圧されていない。第１状態では、カテーテル１０を弾性部材３００に貫通させることもできるし、貫通されたカテーテル１０を弾性部材３００から引き抜くこともできる。
【００４７】
一方、図９に示す第２状態では、螺合部２１０が筒状部１１０に螺合し、螺合部２１０の先端が第１状態よりも＋Ｙ軸方向に進行することにより、弾性部材３００は、螺合部２１０に押圧される。これにより、第３貫通孔３０２は縮径し（内径が小さくなり）、弾性部材３００は、カテーテル１０を固定する。第２状態は、カテーテル１０が弾性部材３００に固定される状態である。第２状態では、基本的に、貫通されたカテーテル１０を弾性部材３００から引き抜くことはできない。第２状態における弾性部材３００のＹ軸方向の大きさＬ２（図９参照）は、第１状態における弾性部材３００のＹ軸方向の大きさＬ１（図３参照）よりも小さい。
【００４８】
１．１．４．  第３状態におけるカテーテルの形状
カテーテル１０は、第３状態において、図１４に示すように、略Ｓ字状となる部分を有している。第３状態において、第１貫通孔１１２の一端１１２ａから他端１１２ｂに向かう方向（Ｙ軸方向）および回動軸２２０の方向（Ｘ軸方向）と直交する方向（Ｚ軸方向）からみて、第２貫通孔２１２の回動軸２２０側の端部２１２ａは、切り欠き部２３２の回動軸２２０側の端部２３２ａよりも、回動軸２２０側に（−Ｙ軸方向側に）位置する。これにより、カテーテル１０は、略Ｓ字状となる部分を有する。図示の例では、端部２１２ａは、第２貫通孔２１２の−Ｙ軸方向側の端部であり、端部２３２ａは、切り欠き部２３２の−Ｙ軸方向側の端部である。
【００４９】
図示の例では、カテーテル１０は、第１貫通孔１１２の第２領域１１４ｂから第３貫通孔３０２および第２貫通孔２１２を通って−Ｙ軸方向側に延出する第１部分１１と、第２貫通孔２１２の端部２１２ａにおいて第１部分１１から＋Ｚ軸方向側に折り曲げられた第２部分１２と、第２部分１２から＋Ｙ軸方向に延出する第３部分１３と、切り欠き部２３２の端部２３２ａにおいて第３部分１３から＋Ｚ軸方向側に折り曲げられた第４部分１４と、第４部分１４から−Ｙ軸方向に延出する第５部分１５と、を有する。第３部分１３は、筒状部１１０の外表面１１１と、蓋部２３０の内面と、の間に位置している。
【００５０】
１．２．  使用方法
次に、本実施形態に係るカテーテルコネクタ１０００の使用方法について、図面を参照しながら説明する。図１５は、本実施形態に係るカテーテルコネクタ１０００の使用方法を説明するためのフローチャートである。図１６は、本実施形態に係るカテーテルコネクタ１０００の使用方法を説明するための斜視図である。
【００５１】
まず、図１〜図３に示すように、第１部材１００、第２部材２００、および弾性部材３００を準備する（ステップＳ１）。本工程では、螺合部２１０の凸部２１１が筒状部１１０の凸部１１３を乗り越えるように螺合部２１０を圧入させて、螺合部２１０を筒状部１１０に挿入させた状態にする。
【００５２】
次に、螺合部２１０および弾性部材３００にカテーテル１０を貫通して、カテーテル１０を一端１１２ａ側から第１貫通孔１１２にカテーテル１０を挿入する（ステップＳ２）。カテーテル１０は、第３領域１１４ｃには挿入されず、第２領域１１４ｂの他端１１２ｂ側においてカテーテル１０の進行は停止する。
【００５３】
次に、図１６に示すように、基部１２０と蓋部２３０とを把持する。そして、図７に示すように、第１部材１００を、第２部材２００に対してＹ軸を回転軸として回転させ、図８および図９に示すように、雄ねじ２１４と雌ねじ１１６とを螺合させて螺合部２１０により弾性部材３００を押圧し、弾性部材３００にカテーテル１０を固定する（ステップＳ３）。
【００５４】
次に、図１０に示すように、蓋部２３０を、回動軸２２０で＋Ｙ軸方向側に折返し、図１１〜図１４に示すように、蓋部２３０を基部１２０に固定する（ステップＳ４）。
【００５５】
次に、基部１２０および蓋部２３０を把持して、第１貫通孔１１２の第４領域１１４ｄ内に他端１１２ｂ側から注射器等の外部器具を挿入し、例えば、ねじ等によりカテーテルコネクタ１０００に外部器具を接続する（ステップＳ５）。そして、カテーテル１０を通して、例えば薬液を硬膜外腔に注入する。基部１２０および蓋部２３０は互いに固定されているため、カテーテルコネクタ１０００に外部器具を接続する際に、第２部材２００が第１部材１００に対して相対的に回転することを抑制することができる。したがって、螺
合部２１０の弾性部材３００に対する押圧が解除されることを抑制することができ、弾性部材３００からカテーテル１０が外れることを抑制することができる。
【００５６】
１．３．  特徴
カテーテルコネクタ１０００は、例えば、以下の特徴を有する。
【００５７】
カテーテルコネクタ１０００では、弾性部材３００は、螺合部２１０に押圧されてカテーテル１０を固定し、カテーテル１０が弾性部材３００に固定された状態（第２状態）において、蓋部２３０は、回動軸２２０で折返されて第１部材１００に固定される。そのため、カテーテルコネクタ１０００では、例えば、カテーテルコネクタ１０００に外部器具を接続する際や、カテーテルコネクタ１０００から外部器具を外す際に、第２部材２００が第１部材１００に対して相対的に回転することを抑制することができる。したがって、カテーテルコネクタ１０００では、螺合部２１０の弾性部材３００に対する押圧が解除されることを抑制することができ、弾性部材３００からカテーテル１０が外れることを抑制することができる。
【００５８】
カテーテルコネクタ１０００では、蓋部２３０が第１部材１００に固定された状態（第３状態）において、Ｚ軸方向からみて、第２貫通孔２１２の端部２１２ａは、切り欠き部２３２の端部２３２ａよりも回動軸２２０側に位置する。そのため、カテーテルコネクタ１０００では、第３状態において、例えば、意図せずに−Ｙ軸方向にカテーテル１０を引っ張る力が働いたとしても、切り欠き部２３２の端部２３２ａによって、カテーテル１０の弾性部材３００に固定されている部分に該力が集中することを抑制することができる。したがって、カテーテルコネクタ１０００では、弾性部材３００からカテーテル１０が外れることを抑制することができる。
【００５９】
カテーテルコネクタ１０００では、基部１２０は、筒状部１１０の外表面１１１から回動軸２２０に沿って両側に突出し、第３状態において、蓋部２３０は、基部１２０と重なり合う形状を有して基部１２０に固定される。そのため、術者は、カテーテルコネクタ１０００に外部器具を接続する際や、カテーテルコネクタ１０００から外部器具を外す際に、互いに固定された基部１２０および蓋部２３０を把持しやすい。
【００６０】
カテーテルコネクタ１０００では、第１貫通孔１１２の他端１１２ｂ側から、カテーテル１０に導入される薬液が供給される。このようなカテーテルコネクタ１０００では、第１貫通孔１１２の他端１１２ｂ側から、カテーテル１０に導入される薬液を供給し、該薬液を例えば硬膜外腔に注入することができる。
【００６１】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【符号の説明】
【００６２】
１０  カテーテル、１１  第１部分、１２  第２部分、１３  第３部分、１４  第４部分、１５  第５部分、１００  第１部材、１１０  筒状部、１１１  外表面、１１２  第１貫通孔、１１２ａ  一端、１１２ｂ  他端、１１３  凸部、１１４ａ  第１領域、１１４ｂ  第２領域、１１４ｃ  第３領域、１１４ｄ  第４領域、１１５  内面、１１６  雌ねじ、１１８  雄ねじ、１２０  基部、１２０ａ  外縁部、１２２  凹部、２００  第２部材、２１０  螺合部、２１１  凸部、２１２  第２貫通孔、２１４  雄ねじ、２２０  回
動軸、２３０  蓋部、２３０ａ  外縁部、２３２  切り欠き部、２３２ａ  端部、３００
弾性部材、３０２  第３貫通孔、１０００  カテーテルコネクタ
【図１】
2018033562.tif 000003
【図２】
2018033562.tif 000004
【図３】
2018033562.tif 000005
【図４】
2018033562.tif 000006
【図５】
2018033562.tif 000007
【図６】
2018033562.tif 000008
【図７】
2018033562.tif 000009
【図８】
2018033562.tif 000010
【図９】
2018033562.tif 000011
【図１０】
2018033562.tif 000012
【図１１】
2018033562.tif 000013
【図１２】
2018033562.tif 000014
【図１３】
2018033562.tif 000015
【図１４】
2018033562.tif 000016
【図１５】
2018033562.tif 000017
【図１６】
2018033562.tif 000018